(57)【特許請求の範囲】
【請求項１】
コンクリート部材を補強するべく前記コンクリート部材の表面に貼り付けられた補強シートを定着する定着用アンカーにおいて、
所定長さを有する多数の繊維を束ねた繊維束によって構成し、
前記繊維束の少なくとも一端側の前記多数の繊維を、所定の大きさの扇形状になるように略均等に拡げた状態で、変形自在な結合保持手段によって結合することにより、扇形状から直線形状まで拡縮可能な定着部分を備えたことを特徴とするコンクリート補強シートの定着用アンカー。
【請求項２】
前記繊維束の両端側に前記定着部分を備えたことを特徴とする請求項１に記載のコンクリート補強シートの定着用アンカー。
【請求項３】
前記繊維束の少なくとも一端側に、前記繊維束を引っ張るためのフック手段を備えたことを特徴とする請求項１又は２に記載のコンクリート補強シートの定着用アンカー。
【請求項４】
前記定着部分における扇形の大きさを調整するための調整手段を前記繊維束に設けたことを特徴とする請求項１から３の何れかに記載のコンクリート補強シートの定着用アンカー。
【請求項５】
前記調整手段は前記繊維束を束ねる束ね部材であり、前記束ね部材が前記繊維束の長手方向に移動自在に取り付けられていることを特徴とする請求項４に記載のコンクリート補強シートの定着用アンカー。
【請求項６】
前記繊維は、炭素繊維、ガラス繊維又はアラミド繊維であることを特徴とする請求項１から５の何れかに記載のコンクリート補強シートの定着用アンカー。
【請求項７】
前記結合保持手段はガラス繊維又は熱可塑性樹脂であり、前記ガラス繊維又は前記熱可塑性樹脂を前記繊維束の繊維に融着することにより、前記繊維を結合することを特徴とする請求項１から６の何れかに記載のコンクリート補強シートの定着用アンカー。
【請求項８】
コンクリート造壁部材の補強方法であって、
前記壁部材の表面に補強シートを貼り付け、
前記壁部材の外周側に配置された部材に挿入孔を設け、
前記挿入孔に請求項１から７の何れかに記載のコンクリート補強シートの定着用アンカーにおける前記定着部分を除いた部分を挿入し、
前記定着部分を扇形に拡げて前記補強シートに接着することを特徴とする補強方法。
【請求項９】
コンクリート造壁付柱の補強方法であって、
前記コンクリート造壁付柱の壁部材又は柱部材の表面に補強シートを貼り付け、
前記補強シートが貼り付けられていない方の前記壁部材又は前記柱部材に挿入孔を設け、
前記挿入孔に請求項１から７の何れかに記載のコンクリート補強シートの定着用アンカーにおける前記定着部分を除いた部分を挿入し、
前記定着部分を扇形に拡げて前記補強シートに接着することを特徴とする補強方法。
【請求項１０】
床部材の下側に配置されたコンクリート造梁部材の補強方法であって、
前記梁部材の表面に補強シートを貼り付け、
前記床部材に挿入孔を設け、
前記挿入孔に請求項１から７の何れかに記載のコンクリート補強シートにおける前記定着部分を除いた部分を挿入し、
前記定着部分を扇形に拡げて前記補強シートに接着することを特徴とする補強方法。
【発明の詳細な説明】
【０００１】
【発明の属する技術分野】
本発明は、鉄筋コンクリート造又は鉄骨鉄筋コンクリート造の建築物に好適なコンクリート補強シートの定着用アンカー及び補強方法に関する。
【０００２】
【従来の技術】
コンクリート構造物の柱、梁、壁などの補修・補強をする場合、炭素繊維シートなどの補強シートをコンクリート部材の表面に貼り付け、その端部を多数の炭素繊維を束ねた定着用アンカーで定着固定する補強方法が行われている。
【０００３】
従来、このような炭素繊維によるコンクリート部材の補強方法として、特開２０００−２７４４６、特開２０００−４５５６５、特開平１１−１５２９０７、特開平１１−２５６８３８が提案されている。
【０００４】
これらの従来の炭素繊維シートによるコンクリート部材の補強方法においては、例えば図１５に示すように、鉄筋コンクリート造の壁付柱１０における柱１１を補強する場合、柱１１の表面に材軸方向に延びる炭素繊維シートなどの補強シート１２を貼り付けると共に、壁１３の柱１１近傍に定着用アンカー１６（図１８）を取り付けるための挿入孔１４をあける。
【０００５】
次に、図１６に示すように、柱１１に貼り付けた補強シート１２の上にこれと直交する方向に延びる炭素繊維シートなどの補強シート１５を貼り付ける。次に、図１７に示すように、後述の方法で製造した多数の炭素繊維からなる定着用アンカー１６の中央部を含浸接着樹脂１７に浸漬し、その浸漬した部分をゴムべらなどで叩いて含浸を促進する。締着用アンカー１６の一端には、これを取り付けるときに引っ張るための針金１８が取り付けられている
次に、図１８に示すように、柱１１に貼り付けられた補強シート１５に含浸接着剤を塗布し、その後定着用アンカー１６の中央部を壁１３の挿入孔１４に挿入する。そして、定着用アンカー１６の一端を針金１８の近傍から切断して針金１８を除去する。
【０００６】
次に、図１９に示すように、定着用アンカー１６の両端部における多数の炭素繊維を補強シート１５上で扇形に開き、その上から含浸接着樹脂を塗布して接着する。
【０００７】
その後、脱泡ローラ１９を用いて補強シート１５及び締着用アンカー１６に対する含浸接着樹脂の含浸を促進する。これにより、定着用アンカー１６の両端部が扇形に開いた状態で補強シート１５の両端部に固定されるので、補強シート１５が柱１１から剥がれるのを防止でき、柱１１の補強が可能になる。なお、定着用アンカー１６の使用数、その端部を扇形に開いたときの大きさなどは、所定の基準に従って決定される。
図２０〜図２２は、従来の定着用アンカー１６の製造方法を示す。従来の定着用アンカー１６は、まず図２０に示すように、建築現場において、板部材２０にアンカーとしての必要長さと略同じ間隔をあけて２個の支持棒２１，２１を固定し、これらの支持棒２１，２１の周りに多数の炭素繊維を束ねたストランド２２を必要回数だけ巻回して、ストランド束２３を形成する。
【０００８】
次に、図２１に示すように、ストランド束２３を支持棒２１，２１から外して、その一端に針金１８を取り付け、他端を鋏で切断して各ストランドをばらばらにする。これにより、図２２に示すように、定着用アンカー１６が完成する。
【０００９】
【発明が解決しようとする課題】
しかしながら、従来の定着用アンカー１６は、建築現場などで炭素繊維を束ねたストランド２２を支持棒２３，２３に巻回して製造するので、定着用アンカー１６を構成する炭素繊維ストランド２２の巻回数を間違えるおそれがあり、この場合には、強度にばらつきが発生するという問題があった。
【００１０】
また、定着用アンカー１６の定着性能を確保するため、定着用アンカー１６の端部を扇形に拡げたときの大きさ、拡げた部分の炭素繊維の直線性及び偏りを一定の基準に従って管理する必要があるが、従来のように、建築現場において手作業で定着用アンカー１６の端部における各繊維を扇形に拡げる場合には、上述の管理を確実に行うことができないという問題があった。
【００１１】
更に、場合によっては、一建築現場で定着用アンカー１６を数百本使用することがあり、このような場合には、定着用アンカー１６の製造及び取り付け作業に膨大な人件費が必要になると共に、工期が長くなるという問題があった。
【００１２】
本発明の目的は、かかる従来の問題点を解決するためになされたもので、性能管理、作業工数の低減及び施工期間の短縮が可能なコンクリート補強シートの定着用アンカー及び補強方法を提供することにある。
【００１３】
【課題を解決するための手段】
本発明はコンクリート補強シートの定着用アンカー及び補強方法であり、前述した技術的課題を解決するために以下のように構成されている。すなわち、本発明は、コンクリート部材を補強するべく前記コンクリート部材の表面に貼り付けられた補強シートを定着する定着用アンカーにおいて、所定長さを有する多数の繊維を束ねた繊維束によって構成し、前記繊維束の少なくとも一端側の前記多数の繊維を、所定の大きさの扇形状になるように略均等に拡げた状態で、変形自在な結合保持手段によって結合することにより、扇形状から直線形状まで拡縮可能な定着部分を備えたことを特徴とする。
【００１４】
また、本発明は、コンクリート造壁部材の補強方法であって、前記壁部材の表面に補強シートを貼り付け、前記壁部材の外周側に配置された部材に挿入孔を設け、前記挿入孔に上記コンクリート補強シートの定着用アンカーにおける前記定着部分を除いた部分を挿入し、前記定着部分を扇形に拡げて前記補強シートに接着することを特徴とする。
【００１５】
また、本発明は、コンクリート造壁付柱の補強方法であって、前記コンクリート造壁付柱の壁部材又は柱部材の表面に補強シートを貼り付け、前記補強シートが貼り付けられていない方の前記壁部材又は前記柱部材に挿入孔を設け、前記挿入孔に上記コンクリート補強シートの定着用アンカーにおける前記定着部分を除いた部分を挿入し、前記定着部分を扇形に拡げて前記補強シートに接着することを特徴とする。
【００１６】
また、本発明は、床部材の下側に配置されたコンクリート造梁部材の補強方法であって、前記梁部材の表面に補強シートを貼り付け、前記床部材に挿入孔を設け、前記挿入孔に上記コンクリート補強シートにおける前記定着部分を除いた部分を挿入し、前記定着部分を扇形に拡げて前記補強シートに接着することを特徴とする。
＜本発明における具体的構成＞
本発明におけるコンクリート補強シートの定着用アンカーは、前述した必須の構成要素からなるが、その構成要素が具体的に以下のような場合であっても成立する。
【００１７】
その具体的構成要素とは、前記繊維束の両端側に前記定着部分を備えたこと、前記繊維束の少なくとも一端側に、前記繊維束を引っ張るためのフック手段を備えたこと、前記定着部分における扇形の大きさを調整するための調整手段を前記繊維束に設けたこと、前記調整手段は前記繊維束を束ねる束ね部材であり、前記束ね部材が前記繊維束の長手方向に移動自在に取り付けられていること、前記繊維は、炭素繊維、ガラス繊維又はアラミド繊維であること、前記結合保持手段はガラス繊維又は熱可塑性樹脂であり、前記ガラス繊維又は前記熱可塑性樹脂を前記繊維束の繊維に融着することにより、前記繊維を結合すること、である。
【００１８】
本発明によれば、現場で定着用アンカーを取り付けるときに、定着用アンカーの定着部分を除いた部分を柱などに設けた挿入孔に挿入した後、定着用アンカーの定着部分の両端を横方向に引いて限界まで拡げるだけで所定の大きさの扇形になり、しかも繊維束を構成する各繊維の直線性が保持されると共に、各繊維が略均等に拡げられて偏りが発生しない。
【００１９】
従って、従来のように定着用アンカーの端部を扇形に拡げるときに、扇形の大きさを測定したり、繊維の直線性を確保するために各繊維を長手方向に引っ張ったり、繊維の偏りがないように注意して作業したりする必要がないので、取り付け作業が非常に容易であり、取り付け作業工数の低減、工期の短縮、及び定着用アンカーとして必要な性能の確保が可能になる。
【００２０】
【発明の実施の形態】
以下、本発明におけるコンクリート補強シートの定着用アンカー及び補強方法を図に示される実施形態について更に詳細に説明する。
（第１実施形態）
図１は本発明の第１実施形態に係るコンクリート補強シートの定着用アンカーの定着部分を拡げた状態を示す図、図２は本発明の第１実施形態に係るコンクリート補強シートの定着用アンカーの定着部分を縮小した状態を示す図、図３は本発明の第１実施形態に係るコンクリート補強シートの定着用アンカーを用いて壁部材を補強した状態を示す図、図４は図３のコンクリート補強シートの定着用アンカーの取付け部分を示す図、図５は図３のコンクリート補強シートの定着用アンカーの取り付け方法を説明する図である。
【００２１】
図１に示すように、本発明の第１実施形態に係るコンクリート補強用の定着用アンカー５は、片アンカータイプであり、多数の炭素繊維を束ねたストランド５０が所定数だけ束ねられたストランド束５１によって構成されている。なお、ストランド５０を構成する繊維としては、炭素繊維に限らず、ガラス繊維、アラミド繊維などを使用できる。これらの繊維は柔軟性を有し、変形自在である。
【００２２】
この定着用アンカー５の一端側には、ストランド５０が所定の大きさの扇形状に略均等で偏りなく拡げられた状態で、変形自在な結合保持手段５２で結合され、扇形状から直線形状まで拡縮可能な定着部分５３が備えられている。定着部分５３の反対側は、直線状の取付部分５６となっている。
【００２３】
結合保持手段５２としては、例えばガラス繊維や熱可塑性樹脂などを使用でき、これれらの材料を線状にして各ストランド５０に熱融着することによって、ストランド５０を拡縮可能な状態で結合できる。なお、この結合保持手段５２の数は、ストランド５０を拡げたときの大きさに応じて適切に設定する。
【００２４】
定着部分５３の根本部分には、定着部分５３の大きさを調整するための調整手段として、束ね部材５４が長手方向に移動自在に取り付けられている。更に、定着用アンカー５の取付部分５６の先端には、定着用アンカー５を取り付けるときに、その端部を引っ張るためのフック部５５が設けられている。本実施形態では、フック部５５として各ストランド５０の折り返し部を利用している。
【００２５】
この定着用アンカー５を補強シートの定着用として建築物に取り付ける場合には、図２に示すように、定着部分５３を直線状に縮小し、フック部５５側を先頭にして建築物に設けた挿入孔に挿入した後、定着部分５３の両端を掴んで横方向に限界まで引っ張ることにより、図１のように所定の大きさの扇形状に拡大することができる。
【００２６】
図３は、図１に示した片アンカータイプの定着用アンカー５を用いて、建築物７０のコンクリート造壁部材７１を炭素繊維などの補強シート７２で補強した状態を示す図である。ここでは、壁部材７１の両側に柱部材７３，７３が配置され、壁部材７１の上下にそれぞれ梁部材７４、床部材７５が配置されている。なお、柱部材７３，７３も補強シート７２及び定着用アンカー５で補強されている。
【００２７】
補強シート７２は壁部材７１の表面に全面的に貼り付けられている。そして、壁部材７１の周囲に配置された柱部材７３，７３、梁部材７４、及び床部材７５の壁部材７１寄りに複数の定着用アンカー５が互いに所定の間隔をあけて埋め込まれている。
【００２８】
柱部材７３，７３、梁部材７４、及び床部材７５には、図４に示すように、壁部材７１近傍に位置する多数の挿入孔７６，７６・・・が穿孔されている。なお、図４は梁部材７４のみ図示している。これらの挿入孔７６，７６・・・は、所定の直径及び深さを有し、互いに所定の間隔をあけて設けられている。
【００２９】
そして、定着用アンカー５の取付部分５６に含浸接着樹脂を塗布して、挿入孔７６，７６・・・に挿入する。これにより、定着用アンカー５が柱部材７３，７３等に固定される。この後、図５に示すように、定着用アンカー５，５・・・の定着部分５３，５３・・・を、補強シート７２上で扇形状に最大限まで拡げ、この拡げられた定着部分５３，５３・・・の上から含浸接着樹脂を塗布することによって、定着部分５３，５３・・・が補強シート７２に接着固定される。
【００３０】
これにより、壁部材７１に貼り付けられた補強シート７２の外周端部が定着用アンカー５によって固定されるので、補強シート７２が剥がれるのを防止でき、これにより壁部材７１の補強を長期間に亘って確保できる。
【００３１】
このように、本発明によれば、定着用アンカー５に所定の大きさの扇形状から直線状まで拡縮可能な定着部分５３を設けたので、現場で定着用アンカー５を取り付けるときに、定着用アンカー５の取付部分５６を柱部材７３，７３、梁部材７４，及び床部材７５に設けた挿入孔７６，７６・・・に挿入して含浸接着樹脂で固定した後、定着用アンカー５の定着部分５３の両端を掴んで横方向に限界まで拡げるだけで所定の大きさの扇形になり、しかも各ストランド５０，５０・・・を構成する炭素繊維の直線性が保持されると共に、ストランド５０及びこれを構成する炭素繊維の偏りも発生しない。
【００３２】
従って、従来のように定着用アンカーを取り付けるときに、その端部を拡げた後の大きさをいちいち測定したり、炭素繊維の直線性を確保するために各繊維を長手方向に引っ張ったり、炭素繊維の偏りがないように注意して作業したりする必要がないので、定着用アンカー５の取り付け作業が非常に容易となり、作業工数の低減、工期の短縮、及び定着用アンカー５の性能確保が可能になる。
【００３３】
また、図１に示したように、定着用アンカー５の束ね部材５４をストランド束５１の長手方向に移動するだけで、定着部分５３を拡げたときの扇形の大きさを任意に調整できるので、建築物７０の設計条件に応じて定着用アンカー５の仕様本数などを変更する際に、定着部分５３の拡大後の大きさを調整する必要がある場合でも、束ね部材５４を移動させるだけで即座に対応できる。
（第２実施形態）
図６は本発明の第２実施形態に係るコンクリート補強シートの定着用アンカーの定着部分を拡げた状態を示す図、図７は本発明の第２実施形態に係るコンクリート補強シートの定着用アンカーの定着部分を縮小した状態を示す図、図８は本発明の第２実施形態に係るコンクリート補強シートの定着用アンカーを用いて壁付柱を補強した状態を示す図、図９は図８のコンクリート補強シートの定着用アンカーの取り付け部分を示す図である。
【００３４】
図６に示すように、本発明の第２実施形態のコンクリート補強シートの定着用アンカー６は、両アンカータイプであり、多数の繊維、例えば炭素繊維が束ねられたストランド６０を所定数だけ束ねたストランド束６１によって構成されている。
【００３５】
この定着用アンカー６の両端側には、ストランド６０，６０・・・が略均等に偏ることなく所定の大きさの扇形状に拡げられた状態で、変形自在な例えばガラス繊維などの結合保持手段６２で融着されて結合され、扇形状から直線形状まで拡縮可能な定着部分６３，６３が備えられている。
【００３６】
これらの定着部分６３、６３の根本部分には、定着部分６３，６３を扇形状に拡げたときの大きさを調整するための調整手段として、束ね部材６４，６４が長手方向に移動自在に取り付けられている。
【００３７】
この定着用アンカー６を補強シートの定着用として建築物に取り付ける場合には、図７に示すように、定着部分６３，６３を直線状に縮小してその中央の直線部分を建築物に設けた挿入孔に挿入した後、定着部分６３，６３の両端を掴んで横方向に限界まで引っ張ることにより、図６のように所定の大きさの扇形状に拡大する。
【００３８】
なお、定着用アンカー６の定着部６３，６３の先端には、図７に破線で示すように、予め各ストランド６０の折り返し部分を利用したフック部６５，６５が設けられている。そして、定着用アンカー６を建築物などに取り付ける場合には、フック部６５，６５を利用して定着用アンカー６を長手方向に引っ張ることにより建築物の挿入孔に挿入した後、両側のフック部６５，６５を切断して、各定着部分６３，６３を拡大するようになっている。
【００３９】
図８は、図６に示した両アンカータイプの定着用アンカー６を用いて、コンクリート造壁付柱８０の柱部材８１を炭素繊維シートなどの補強シート８２で補強した状態を示す図である。ここでは、柱部材８１の外周側面に補強シート８２が所定数だけ重ねて貼り付けられる。
【００４０】
壁部材８３には、図９に示すように、柱部材８１近傍に位置する所定直径の貫通した挿入孔８４，８４・・・が、互いに所定の間隔をあけて穿孔されている。定着用アンカー６は、その一端側の定着部分６３を直線状に縮小した状態で、挿入孔８４に挿入し、両端の定着部分６３，６３が露出されるようにする。このときには、定着用アンカー６の先端のフック部６５（図７）に、例えば針金などを取り付けて、これを長手方向に引っ張ることにより、定着用アンカー６を簡単に挿入孔８４に挿入できる。
【００４１】
定着用アンカー６を挿入孔８４に挿入した後、先端のフック部６５，６５を切断して針金を除去する。そして、両側の定着部分６３，６３を補強シート８２，８２上で扇形状に拡げ、定着部分６３，６３の上から浸漬接着樹脂を塗布して、補強シート８２に接着固定する。
（第３実施形態）
図１０は本発明の第３実施形態に係る梁部材を補強した状態を示す図、図１１は本発明の第３実施形態に係る梁部材を片アンカータイプのコンクリート補強シートの定着用アンカーを用いて補強した状態を示す断面図、図１２は本発明の第３実施形態に係る梁部材を両アンカータイプのコンクリート補強シートの定着用アンカーを用いて補強した状態を示す断面図である。
【００４２】
図１０に示すように、コンクリート造の梁部材９０の両側に柱部材９２，９２が配置され、梁部材９０の上側に床部材９３が配置されている。梁部材９０の表面には、全面に亘って炭素繊維シートなどの補強シート９１が所定数だけ重ねて貼り付けられている。
【００４３】
この補強シート９１を図１の片アンカータイプの定着用アンカー５で固定する場合には、図１１に示すように、床部材９３の梁部材９１近傍に、所定の直径及び深さを有する複数の挿入孔９４，９４・・・が穿孔され、これらの挿入孔９４，９４・・・に定着用アンカー５の取付部分５６が挿入されて接着固定される。
【００４４】
なお、挿入孔９４，９４・・・の底部は、図１１に示すように、挿入孔９４，９４の直径より拡大して定着用アンカー５の固定強度を高くできるが、拡大しなくてもよい。この後、定着用アンカー５の定着部分５３を補強シート９１上で扇形状に拡大し、浸漬接着樹脂で接着固定する。
【００４５】
補強シート９１を、両アンカータイプの定着用アンカー６で固定する場合には、図１２に示すように、床部材９３に梁部材９０の両側に位置する貫通した挿入孔９５，９５を穿孔する。
【００４６】
そして、定着用アンカー６の両側の定着部分６３，６３を床部材９３の上側から挿入孔９５，５９を挿通させて、床部材９３の下側に引き出す。次に、定着部分６３，６３を補強シート９１上で扇形状に拡大し、浸漬接着樹脂を塗布して補強シート９１に接着固定する。これにより、補強シート９１の外周端部が固定され、補強シート９１が梁部材９０から剥がれるのを防止できる。
（第４実施形態）
図１３は本発明の第４実施形態の定着用アンカー１００を示す図である。この定着用アンカー１００は、扇形状に広げたストランド１０１，１０１・・・のうち、複数、例えば３個のストランド１０１，１０１，１０１を上下２本の紐状の結合保持手段１０２，１０２によって互い違いに挟むようにしたものである。この定着用アンカー１００によれば、ストランド１０１，１０１・・・を確実に保持でき、しかも結合保持手段１０２，１０２の取付作業が容易になる。
（第５実施形態）
図１４は、本発明の第５実施形態の定着用アンカー１０３を示す。この定着用アンカー１０３は、ストランド１０４，１０４・・・を２層にし、その層間に紐状の結合保持手段１０５を入れて両側のストランド１０４，１０４・・・に融着したものである。この定着用アンカー１０３によれば、強度の向上を図ることができる。
【００４７】
【発明の効果】
以上説明したように、本発明におけるコンクリート補強シートの定着用アンカー及び補強方法によれば、建築現場などで定着用アンカーを取り付けるときに、定着用アンカーを柱などに設けた挿入孔に挿入した後、定着用アンカーの定着部分を限界まで拡げるだけで所定の大きさの扇形になり、しかも各繊維の直線性が保持されると共に、繊維の偏りも発生しない。
【００４８】
従って、従来のように定着用アンカーの端部を拡げるときに、その大きさをいちいち測定したり、繊維の直線性を確保するために各繊維を長手方向に引っ張ったり、繊維の偏りがないように注意して作業したりする必要がないので、取り付け作業が非常に容易になり、作業工数の低減、工期の短縮、及び定着用アンカーの必要性能を確保できる。
【図面の簡単な説明】
【図１】本発明の第１実施形態に係るコンクリート補強シートの定着用アンカーの定着部分を扇形状に拡げた状態を示す図である。
【図２】本発明の第１実施形態に係るコンクリート補強シートの定着用アンカーの定着部分を直線状に縮小した状態を示す図である。
【図３】本発明の第１実施形態に係るコンクリート補強シートの定着用アンカーを用いて壁部材を補強した状態を示す図である。
【図４】図３のコンクリート補強シートの定着用アンカーの取付け部分を示す図である。
【図５】図３のコンクリート補強シートの定着用アンカーの取り付け方法を説明する図である。
【図６】本発明の第２実施形態に係るコンクリート補強シートの定着用アンカーの定着部分を扇形状に拡げた状態を示す図である。
【図７】本発明の第２実施形態に係るコンクリート補強シートの定着用アンカーの定着部分を直線状に縮小した状態を示す図である。
【図８】本発明の第２実施形態に係るコンクリート補強シートの定着用アンカーを用いて壁付柱を補強した状態を示す図である。
【図９】図８のコンクリート補強シートの定着用アンカーの取り付け部分を示す図である。
【図１０】本発明の第３実施形態に係る梁部材を補強シートで補強した状態を示す図である。
【図１１】本発明の第３実施形態に係る梁部材を片アンカータイプの定着用アンカーを用いて補強した状態を示す断面図である。
【図１２】本発明の第３実施形態に係る梁部材を両アンカータイプの定着用アンカーを用いて補強した状態を示す断面図である。
【図１３】本発明の第４実施形態に係る結合保持手段を示す断面図である。
【図１４】本発明の第５実施形態に係る定着用アンカーを示す断面図である。
【図１５】従来例に係る定着用アンカーの取り付け方法を示す図である。
【図１６】従来例に係るコンクリート補強シートの定着用アンカーの取り付け方法を示す図である。
【図１７】従来例に係るコンクリート補強シートの定着用アンカーの取り付け方法を示す図である。
【図１８】従来例に係るコンクリート補強シートの定着用アンカーの取り付け方法を示す図である。
【図１９】従来例に係るコンクリート補強シートの定着用アンカーの取り付け方法を示す図である。
【図２０】従来例に係るコンクリート補強シートの定着用アンカーの製造方法を示す図である。
【図２１】従来例に係るコンクリート補強シートの定着用アンカーの製造方法を示す図である。
【図２２】従来例に係るコンクリート補強シートの定着用アンカーの製造方法を示す図である。
【符号の説明】
５，６、１００，１０３  コンクリート補強シートの定着用アンカー
５１，６１，１０１、１０４  ストランド（繊維束）
５２，６２、１０２、１０５  結合保持手段
５３，６３  定着部分
５４  束ね部材（調整手段）
５５，６５  フック部
７１  壁部材
７２，８２，９１  補強シート
７６，８４，９４，９５  挿入孔
８１  柱部材
９０  梁部材
【図１】
0004043271.tif 000002
【図２】
0004043271.tif 000003
【図３】
0004043271.tif 000004
【図４】
0004043271.tif 000005
【図５】
0004043271.tif 000006
【図６】
0004043271.tif 000007
【図７】
0004043271.tif 000008
【図８】
0004043271.tif 000009
【図９】
0004043271.tif 000010
【図１０】
0004043271.tif 000011
【図１１】
0004043271.tif 000012
【図１２】
0004043271.tif 000013
【図１３】
0004043271.tif 000014
【図１４】
0004043271.tif 000015
【図１５】
0004043271.tif 000016
【図１６】
0004043271.tif 000017
【図１７】
0004043271.tif 000018
【図１８】
0004043271.tif 000019
【図１９】
0004043271.tif 000020
【図２０】
0004043271.tif 000021
【図２１】
0004043271.tif 000022
【図２２】
0004043271.tif 000023